(57)【要約】【課題】専用の通信機能および通信設備を設けることなく、アクセス規制された携帯電話の安否情報を安否情報サーバに送信することができる技術を提供する。【解決手段】安否情報作成部８は、緊急警報受信後にアクセス制限が行われた後、携帯電話１のユーザの安否情報を作成する。安否通知部７は、アクセス制限が解除された後、作成した安否情報をサーバに通知する。【選択図】図２
2016048524.tif 000002
【特許請求の範囲】
【請求項１】
携帯電話であって、
緊急警報受信後にアクセス制限が行われた後、前記携帯電話のユーザの安否情報を作成する安否情報作成部と、
前記アクセス制限が解除された後、前記作成した安否情報をサーバに通知する安否通知部とを備えた、携帯電話。
【請求項２】
前記安否情報作成部は、時刻、前記携帯電話の電話番号、および前記携帯電話の位置情報の少なくとも１つを含む前記安否情報を作成する、請求項１記載の携帯電話。
【請求項３】
前記安否通知部は、前記緊急警報の受信後、一定期間が経過するまで、前記安否情報を繰り返し通知する、請求項１記載の携帯電話。
【請求項４】
前記安否情報作成部は、ユーザが入力した被害状況に関する情報を含む前記安否情報を作成する、請求項１記載の携帯電話。
【請求項５】
前記安否情報作成部は、所定時間、前記携帯電話の移動が検出されなかった場合に、移動が不可能な状態であることを示す情報を含む前記安否情報を作成する、請求項１記載の携帯電話。
【請求項６】
前記安否情報作成部は、前記携帯電話の移動が検出された場合に、移動が可能な状態であることを示す情報を含む前記安否情報を作成する、請求項１記載の携帯電話。
【請求項７】
前記携帯電話は、さらに、
前記緊急警報受信後にアクセス制限が行われた後、他の携帯電話の電話番号を含む安否確認要求を作成する安否確認要求作成部と、
前記アクセス制限が解除された後、前記安否確認要求を前記サーバに送信し、前記サーバから送信される前記電話番号の安否情報または前記サーバに前記電話番号の安否情報が登録されていない旨のメッセージを受信する安否確認要求部とを備えた、請求項１記載の携帯電話。
【請求項８】
安否情報を受信する受信部と、
前記受信した安否情報のリストを管理する管理部と、
第１の携帯電話から、アクセス制限された第２の携帯電話の電話番号を相手先電話番号として指定した発呼要求があった場合に、前記第２の携帯電話に対する安否情報が前記リストに登録されている場合には、前記安否情報を前記第１の携帯電話に通知する通知部とを備える、安否情報サーバ。
【請求項９】
前記通知部は、前記安否情報を音声で通知する、請求項８記載の安否情報サーバ。
【請求項１０】
前記通知部は、前記安否情報を含むＷｅｂページのＵＲＬを通知する、請求項８記載の安否情報サーバ。
【請求項１１】
携帯電話が、緊急警報受信後に、アクセス制限が行われたときに、安否情報を作成するステップと、
前記携帯電話が、前記アクセス制限が解除されたときに、前記作成した安否情報を安否情報サーバに通知するステップと、
前記安否情報サーバが、安否情報を受信するステップと、
前記安否情報サーバが、前記受信した安否情報をリストを登録するステップと、
前記安否情報サーバが、アクセス制限された携帯電話への発呼があった場合に、前記携帯電話に対する安否情報が前記リストに登録されている場合には、前記安否情報を前記発呼した携帯電話に通知する、安否確認方法。
【発明の詳細な説明】
【技術分野】
【０００１】
本発明は、携帯電話、安否情報サーバおよび安否確認方法に関する。
【背景技術】
【０００２】
従来から、災害時の安否確認システムが知られている。
たとえば、特許文献１に記載のシステムでは、第１の加入者端末から通信規制地域内の第２の加入者端末に対し発呼したとき、接続できないことを第１の加入者端末に提示し、第１の加入者端末で災害システムへの接続とメール機能への切り替えを提示し、いずれかを選択させる。第１の加入者端末で災害システムへの接続が選択されたとき、災害システムでは第１の加入者端末から第２の加入者端末への伝言を蓄積し、第２の加入者端末の通信規制が解除したとき災害システムから第２の加入者端末を呼び出して伝言を通知することができる。これにより、通信規制中の加入者端末に連絡を取ることが可能となる。
【０００３】
また、特許文献２に記載のシステムでは、携帯電話機の所有者の家族を特定するための連絡先電話番号と、所有者の氏名と、所有者のケガなどの状態に関するステータス情報とをＺｉｇＢｅｅ（登録商標）の端末としての携帯電話機から所定の伝送距離まで送信する。これらの情報を受信したＺｉｇＢｅｅ（登録商標）の基地局は、場所および日時を加えた安否情報を、専用線で構成された金融機関ネットワークに送信する。ゲートウェイを介して安否情報を受信した伝言板サーバは、受信した安否情報を家族毎に関連付けて記憶するとともに、要求に応じて、他の家族の安否情報を、携帯電話機へ返信する。
【先行技術文献】
【特許文献】
【０００４】
【特許文献１】特開２００７−３１８６４２号公報
【特許文献２】特開２００８−１３９９１５号公報
【発明の概要】
【発明が解決しようとする課題】
【０００５】
しかしながら、特許文献１に記載のシステムでは、アクセス制限されない端末（アクセス制限外端末）からアクセス制限された端末に伝言などの情報を提供するが、アクセス制限された端末の情報がアクセス制限外端末へは送信されないので、アクセス制限外端末は、アクセス制限された端末が規制されているエリアにいることしかわからない。
【０００６】
また、特許文献２に記載のシステムでは、ＺｉｇＢｅｅ（登録商標）の基地局などを導入する必要がある。また、携帯端末にも、ＺｉｇＢｅｅ（登録商標）の通信機能を追加する必要がある。
【０００７】
それゆえに、本発明の目的は、専用の通信機能および通信設備を設けることなく、アクセス制限された携帯電話の安否情報を安否情報サーバに送信することができる技術を提供することである。
【課題を解決するための手段】
【０００８】
本発明の一態様の携帯電話は、緊急警報受信後にアクセス制限が行われた後、携帯電話のユーザの安否情報を作成する安否情報作成部と、アクセス制限が解除された後、作成した安否情報をサーバに通知する安否通知部とを備える。
【０００９】
好ましくは、安否情報作成部は、時刻、携帯電話の電話番号、および携帯電話の位置情報の少なくとも１つを含む安否情報を作成する。
【００１０】
好ましくは、安否通知部は、緊急警報の受信後、一定期間が経過するまで、安否情報を繰り返し通知する。
【００１１】
好ましくは、安否情報作成部は、ユーザが入力した被害状況に関する情報を含む安否情報を作成する。
【００１２】
好ましくは、安否情報作成部は、所定時間、携帯電話の移動が検出されなかった場合に、移動が不可能な状態であることを示す情報を含む安否情報を作成する。
【００１３】
好ましくは、安否情報作成部は、携帯電話の移動が検出された場合に、移動が可能な状態であることを示す情報を含む安否情報を作成する。
【００１４】
好ましくは、携帯電話は、さらに、緊急警報受信後にアクセス制限が行われた後、他の携帯電話の電話番号を含む安否確認要求を作成する安否確認要求作成部と、アクセス制限が解除された後、安否確認要求をサーバに送信し、サーバから送信される電話番号の安否情報またはサーバに電話番号の安否情報が登録されていない旨のメッセージを受信する安否確認要求部とを備える。
【００１５】
本発明の一態様の安否情報サーバは、安否情報を受信する受信部と、受信した安否情報のリストを管理する管理部と、第１の携帯電話から、アクセス制限された第２の携帯電話の電話番号を相手先電話番号として指定した発呼要求があった場合に、第２の携帯電話に対する安否情報がリストに登録されている場合には、安否情報を第１の携帯電話に通知する通知部とを備える。
【００１６】
好ましくは、通知部は、安否情報を音声で通知する。
好ましくは、通知部は、安否情報を含むＷｅｂページのＵＲＬを通知する。
【００１７】
本発明の安否確認方法は、携帯電話が、緊急警報受信後に、アクセス制限が行われたときに、安否情報を作成するステップと、携帯電話が、アクセス制限が解除されたときに、作成した安否情報を安否情報サーバに通知するステップと、安否情報サーバが、安否情報を受信するステップと、安否情報サーバが、受信した安否情報をリストを登録するステップと、安否情報サーバが、アクセス制限された携帯電話への発呼があった場合に、携帯電話に対する安否情報がリストに登録されている場合には、安否情報を発呼した携帯電話に通知する。
【発明の効果】
【００１８】
本発明の一態様によれば、専用の通信機能および通信設備を設けることなく、アクセス制限された携帯電話の安否情報を提供することできる。
【図面の簡単な説明】
【００１９】
【図１】本発明の実施形態の安否確認システムを表わす図である。
【図２】第１の実施形態の携帯電話の構成を表わす図である。
【図３】第１の実施形態の安否情報サーバの構成を表わす図である。
【図４】第１の実施形態の安否確認システムの動作手順を表わす図である。
【図５】第１の実施形態の安否情報の例を表わす図である。
【図６】第２の実施形態の安否確認システムの動作手順を表わす図である。
【図７】第３の実施形態の安否確認システムの動作手順を表わす図である。
【図８】第３の実施形態の被災状況入力ポップアップウインドウの例を表わす図である。
【図９】第３の実施形態の安否情報の例を表わす図である。
【図１０】第４の実施形態の安否確認システムの動作手順を表わす図である。
【図１１】第４の実施形態の安否情報の例を表わす図である。
【図１２】第４の実施形態の安否情報の別の例を表わす図である。
【図１３】第５の実施形態の携帯電話の構成を表わす図である。
【図１４】第５の実施形態の安否確認システムの動作手順を表わす図である。
【図１５】第５の実施形態の安否確認入力ポップアップウインドウの例を表わす図である。
【図１６】第５の実施形態の安否通知ポップアップウインドウの例を表わす図である。
【図１７】第５の実施形態の安否通知ポップアップウインドウの別の例を表わす図である。
【図１８】第６の実施形態の安否確認システムの動作手順を表わす図である。
【図１９】第７の実施形態の安否確認システムの動作手順を表わす図である。
【発明を実施するための形態】
【００２０】
以下、本発明の実施の形態について図面を用いて説明する。
［第１の実施形態］
図１は、本発明の実施形態の安否確認システムを表わす図である。
【００２１】
安否確認システムは、無線制御装置７３と、災害情報管理センタ７１と、安否情報サーバ６１、複数の無線基地局（図１の例では４つの無線基地局Ａ、Ｂ、Ｃ、Ｄ）と、複数の携帯電話（図１の例では、携帯電話１−ａ，１−ｂ）とを備える。
【００２２】
無線制御装置７３は、携帯電話１−ａ，１−ｂと無線基地局Ａ〜Ｄとの間の無線回線制御、呼接続制御、アクセス制御およびハンドオーバ制御などを行なう。
【００２３】
災害情報管理センタ７１は、災害時に被災地域のセルに属する携帯電話１へ無線基地局Ａ〜Ｄを通じて、緊急警報をブロードキャスト送信する。災害情報管理センタ７１は、災害時に、無線制御装置７３に指示を与えることによって、被災地域のセルに位置する携帯電話１による無線基地局へのアクセスを制御する。
【００２４】
安否情報サーバ６１は、災害時に携帯電話１から送信される安否情報を保存し、管理する。
【００２５】
無線基地局Ａ〜Ｄは、それぞれセルＡ〜Ｄ内の通信を制御し、セルＡ〜セルＤに位置する携帯電話１と通信が可能である。
【００２６】
携帯電話１−ａ，１−ｂは、無線基地局Ａ，Ｂが制御するセルＡ，Ｂの圏内に存在し、セルＡ，Ｂがアクセス制限されていない場合に無線基地局Ａ，Ｂとの通信が可能である。図１の例では、セルＡ，Ｂがアクセス制限されており、携帯電話１−ａ，１−ｂの通信がアクセス制限されている。
【００２７】
図２は、第１の実施形態の携帯電話１の構成を表わす図である。
携帯電話１は、無線通信部２と、通話制御部３と、インターネット制御部４と、アクセス制御部５と、警報取得部６と、安否情報作成部と、安否通知部７と、メモリ９と、内蔵時計１０と、位置検出部１１と、ユーザ入力部１２と、表示部１３と、スピーカ１４と、マイク１５とを備える。
【００２８】
無線通信部２は、無線基地局との間で無線通信を行なう。
メモリ９は、携帯電話１の電話番号などを記憶する。
【００２９】
内蔵時計１０は、現在の時刻を表わす信号を出力する。
位置検出部１１は、携帯電話１の現在位置を検出する。位置検出部１１は、たとえば、ＧＰＳ（Global Positioning System）受信機によって実現される。
【００３０】
ユーザ入力部１２は、ユーザからの入力を受け付ける。ユーザ入力部１２は、たとえば、タッチパネルによって実現される。
【００３１】
表示部１３は、各種の情報を表示する。表示部１３は、たとえば、液晶ディスプレイによって実現される。
【００３２】
スピーカ１４から通話相手の音声などが出力される。
マイク１５には、ユーザの音声などが入力される。
【００３３】
通話制御部３は、相手の携帯電話１との通話を制御する。
インターネット制御部４は、インターネットへのアクセスを制御する。
【００３４】
警報取得部６は、災害情報管理センタ７１からの災害を知らせる警報を取得する。
アクセス制御部５は、災害情報管理センタ７１から無線制御装置７３を通じてアクセス制限情報を受信することによりアクセス規制（制限）がかかると、ユーザによる通信要求（通話、メール通信、インターネットアクセスなどの要求）を拒否する。アクセス制御部５は、災害情報管理センタ７１からアクセス制限解除情報を受信することによりアクセス規制が解除されると、ユーザによる通信要求（通話、メール通信、インターネットアクセスなどの要求）を受け付ける。
【００３５】
安否情報作成部８は、携帯電話１のユーザの安否に関する安否情報を作成する。
安否通知部７は、安否情報サーバ６１に安否情報を送信する。
【００３６】
図３は、第１の実施形態の安否情報サーバ６１の構成を表わす図である。
安否情報サーバ６１は、通信部６３と、安否情報記憶部６４と、安否情報リスト管理部６２とを備える。
【００３７】
通信部６３は、無線基地局を介して、携帯電話１と通信を行なう。
安否情報記憶部６４は、携帯電話１から受信した安否情報のリストである安否情報リストを記憶する。
【００３８】
安否情報リスト管理部６２は、携帯電話１から受信した安否情報を安否情報リストに登録するとともに、必要に応じて、安否情報リスト内の安否情報を携帯電話１に送信する。
【００３９】
図４は、第１の実施形態の安否確認システムの動作手順を表わす図である。
図４を参照して、ステップＳ１０１において、携帯電話１の警報取得部６が、無線通信部２を通じて災害情報管理センタ７１から緊急警報を受信すると、処理がステップＳ１０２に進む。
【００４０】
ステップＳ１０２において、携帯電話１のアクセス制御部５が、緊急情報を受信してから所定時間α内に災害情報管理センタ７１から無線通信部２を通じてアクセス制限情報を受信することによりアクセス規制がかかると、処理がステップＳ１０３に進む。
【００４１】
ステップＳ１０３において、携帯電話１の安否情報作成部８は、メモリ９から携帯電話１の電話番号を読出す。安否情報作成部８は、位置検出部１１から携帯電話１の現在位置を取得する。安否情報作成部８は、内蔵時計１０から現在時刻を取得する。安否情報作成部８は、図５に示すような、携帯電話１の電話番号、現在時刻、および現在位置からなる安否情報を作成する。
【００４２】
ステップＳ１０４において、携帯電話１のアクセス制御部５が、無線通信部２を通じて、災害情報管理センタ７１からアクセス制限解除情報を受信することによりアクセス規制が解除されると、処理がステップＳ１０５に進む。
【００４３】
ステップＳ１０５において、携帯電話１の無線通信部２が、安否情報サーバ６１との通信接続を実行する。
【００４４】
ステップＳ１０６において、携帯電話１の安否通知部７が、無線通信部２を通じて、安否情報を安否情報サーバ６１に送信する。
【００４５】
ステップＳ１０７において、安否情報サーバ６１の安否情報リスト管理部６２が、通信部６３を通じて、安否情報を受信すると、処理がステップＳ１０８に進む。
【００４６】
ステップＳ１０８において、安否情報サーバ６１の安否情報リスト管理部６２が、受信した安否情報を安否情報リストに登録する。
【００４７】
以上のように、本実施の形態では、携帯電話１は、アクセス制限がなされると、安否情報を作成し、アクセス制限が解除されたタイミングで、安否情報を安否情報サーバに送信する。これにより、専用の通信機能および通信設備を設けることなく、アクセス制限がなされた携帯電話の安否情報をアクセス制限が解除されたときに安否情報サーバに送信することができる。つまり、ユーザが、アクセス制限が解除されたか否かを携帯電話の画面をみることによって調べ、アクセス制限が解除されたことを知ってから手動で安否情報を送信するのに比べて、安否情報を迅速かつ確実に送信することができる。
【００４８】
なお、本実施の形態では、安否情報作成部は、携帯電話の電話番号、現在時刻、および現在位置からなる安否情報を作成したが、これに限定するものではない。安否情報作成部は、携帯電話の電話番号、現在時刻、および現在位置のうちの少なくとも１つからなる安否情報を作成するものであってもよい。
【００４９】
［第２の実施形態］
図６は、第２の実施形態の安否確認システムの動作手順を表わす図である。
【００５０】
図６を参照して、ステップＳ２０１において、携帯電話１の警報取得部６が、無線通信部２を通じて災害情報管理センタ７１から緊急警報を受信すると、処理がステップＳ２０２に進む。
【００５１】
ステップＳ２０２において、携帯電話１のアクセス制御部５が、緊急情報を受信してから所定時間α内に災害情報管理センタ７１から無線通信部２を通じてアクセス制限情報を受信することによりアクセス規制がかかると、処理がステップＳ２０３に進む。
【００５２】
ステップＳ２０３において、携帯電話１の安否情報作成部８は、メモリ９から携帯電話１の電話番号を読出す。安否情報作成部８は、位置検出部１１から携帯電話１の現在位置を取得する。安否情報作成部８は、内蔵時計１０から現在時刻を取得する。安否情報作成部８は、携帯電話１の電話番号、現在時刻、および現在位置からなる安否情報を作成する。
【００５３】
ステップＳ２０４において、携帯電話１のアクセス制御部５が、無線通信部２を通じて、災害情報管理センタ７１からアクセス制限解除情報を受信することによりアクセス規制が解除されると、処理がステップＳ２０５に進む。
【００５４】
ステップＳ２０５において、携帯電話１の無線通信部２が、安否情報サーバ６１との通信接続を実行する。
【００５５】
ステップＳ２０６において、携帯電話１の安否通知部７が、無線通信部２を通じて、安否情報を安否情報サーバ６１に送信する。
【００５６】
ステップＳ２０７において、安否情報サーバ６１の安否情報リスト管理部６２が、通信部を通じて、安否情報を受信すると、処理がステップＳ２０８に進む。
【００５７】
ステップＳ２０８において、安否情報サーバ６１の安否情報リスト管理部６２が、受信した安否情報を安否情報リストに登録する。
【００５８】
ステップＳ２０９において、緊急情報を受信してから所定時間βが経過すると、処理が終了し、所定時間βが経過していない場合には、処理がステップＳ２１０に進む。
【００５９】
ステップＳ２１０において、再通知タイマが起動する。
ステップＳ２１１において、再通知タイマが満了すると、処理がステップＳ２０３に戻る。これにより、再度、安否情報が作成されて安否情報サーバ６１へ送信される。
【００６０】
以上のように、本実施の形態によれば、安否情報を繰り返し送信するので、安否情報サーバ内の安否情報を最新のものに更新することができる。
【００６１】
［第３の実施形態］
図７は、第３の実施形態の安否確認システムの動作手順を表わす図である。
【００６２】
図７を参照して、ステップＳ３０１において、携帯電話１の警報取得部６が、無線通信部２を通じて災害情報管理センタ７１から緊急警報を受信すると、処理がステップＳ３０２に進む。
【００６３】
ステップＳ３０２において、携帯電話１のアクセス制御部５が、緊急情報を受信してか所定定時間α内に災害情報管理センタ７１から無線通信部２を通じてアクセス制限情報を受信することによりアクセス規制がかかると、処理がステップＳ３０３に進む。
【００６４】
ステップＳ３０３において、安否情報作成部８は、図８に示すような被災状況入力ポップアップウインドウを表示部１３に表示する。
【００６５】
ステップＳ３０４において、携帯電話１の安否情報作成部８は、メモリ９から携帯電話１の電話番号を読出す。安否情報作成部８は、位置検出部１１から携帯電話１の現在位置を取得する。安否情報作成部８は、内蔵時計１０から現在時刻を取得する。安否情報作成部８は、ユーザ入力部１２を通じてユーザが被災状況入力ポップアップウインドウに入力した被災状況を取得する。
【００６６】
安否情報作成部８は、図９に示すような携帯電話１の電話番号、現在時刻、現在位置、および被災状況からなる安否情報を作成する。
【００６７】
ステップＳ３０５において、携帯電話１のアクセス制御部５が、無線通信部２を通じて、災害情報管理センタ７１からアクセス制限解除情報を受信することによりアクセス規制が解除されると、処理がステップＳ３０６に進む。
【００６８】
ステップＳ３０６において、携帯電話１の無線通信部２が、安否情報サーバ６１との通信接続を実行する。
【００６９】
ステップＳ３０７において、携帯電話１の安否通知部７が、無線通信部２を通じて、安否情報を安否情報サーバ６１に送信する。
【００７０】
ステップＳ３０８において、安否情報サーバ６１の安否情報リスト管理部６２が、通信部を通じて、安否情報を受信すると、処理がステップＳ３０９に進む。
【００７１】
ステップＳ３０９において、安否情報サーバ６１の安否情報リスト管理部６２が、受信した安否情報を安否情報リストに登録する。
【００７２】
以上のように、本実施の形態によれば、ユーザが入力した自身の被害状況を含む安否情報が安否情報サーバに送信されるので、個別具体的なユーザの被害状況を知らせることができる。
【００７３】
［第４の実施形態］
図１０は、第４の実施形態の安否確認システムの動作手順を表わす図である。
【００７４】
図１０を参照して、ステップＳ４０１において、携帯電話１の警報取得部６が、無線通信部２を通じて災害情報管理センタ７１から緊急警報を受信すると、処理がステップＳ４０２に進む。
【００７５】
ステップＳ４０２において、携帯電話１のアクセス制御部５が、緊急情報を受信してから一定時間内に災害情報管理センタ７１から無線通信部２を通じてアクセス制限情報を受信することによりアクセス規制がかかると、処理がステップＳ４０３に進む。
【００７６】
ステップＳ４０３において、携帯電話１の安否情報作成部８は、メモリ９から携帯電話１の電話番号を読出す。安否情報作成部８は、位置検出部１１から携帯電話１の現在位置を取得する。安否情報作成部８は、内蔵時計１０から現在時刻を取得する。安否情報作成部８は、携帯電話１の電話番号、現在時刻、および現在位置からなる安否情報を作成する。
【００７７】
ステップＳ４０４において、携帯電話１のアクセス制御部５が、無線通信部２を通じて、災害情報管理センタ７１からアクセス制限解除情報を受信することによりアクセス規制が解除されると、処理がステップＳ４０５に進む。
【００７８】
ステップＳ４０５において、携帯電話１の無線通信部２が、安否情報サーバ６１との通信接続を実行する。
【００７９】
ステップＳ４０６において、携帯電話１の安否通知部７が、無線通信部２を通じて、安否情報を安否情報サーバ６１に送信する。
【００８０】
ステップＳ４０７において、安否情報サーバ６１の安否情報リスト管理部６２が、通信部６３を通じて、安否情報を受信すると、処理がステップＳ４０８に進む。
【００８１】
ステップＳ４０８において、安否情報サーバ６１の安否情報リスト管理部６２が、受信した安否情報を安否情報リストに登録する。
【００８２】
ステップＳ４０９において、携帯電話１の移動検出タイマが起動する。
ステップＳ４１０において、携帯電話１の位置検出部１１が携帯電話１の移動を検出すると、処理がステップＳ４１１に進み、位置検出部１１が携帯電話１の移動を検出しない場合には、処理がステップＳ４１３に進む。
【００８３】
ステップＳ４１１において、移動検出タイマがクリアされる。
ステップＳ４１２において、携帯電話１の安否情報作成部８は、再度、携帯電話１の電話番号、現在時刻、および現在位置を取得する。安否情報作成部８は、図１１に示すような、携帯電話１の電話番号、現在時刻、現在位置、および移動可能を表わす被害状況を含む安否情報を作成する。
【００８４】
ステップＳ４１３において、移動検出タイマが満了すると、処理がステップＳ４１４に進む。
【００８５】
ステップＳ４１４において、移動検出タイマの満了回数が規定回数の場合には、処理がステップＳ４１５に進み、移動検出タイマの満了回数が規定回数でない場合には、処理がステップＳ４０９に戻る。
【００８６】
ステップＳ４１５において、携帯電話１の安否情報作成部８は、再度、携帯電話１の電話番号、現在時刻、および現在位置を取得する。安否情報作成部８は、図１２に示すような、携帯電話１の電話番号、現在時刻、現在位置、および移動不可能を表わす被害状況を含む安否情報を作成する。
【００８７】
ステップＳ４１６において、アクセス制御部５が、無線通信部２を通じて、災害情報管理センタ７１からアクセス制限解除情報を受信することによりアクセス制限が解除されている場合には、処理がステップＳ４１７に進む。
【００８８】
ステップＳ４１７において、携帯電話１の無線通信部２が、安否情報サーバ６１との通信接続を実行する。
【００８９】
ステップＳ４１８において、安否通知部７が、無線通信部２を通じて、安否情報を安否情報サーバ６１に送信する。
【００９０】
ステップＳ４０７において、安否情報サーバ６１の安否情報リスト管理部６２が、通信部６３を通じて、安否情報を受信すると、処理がステップＳ４０８に進む。
【００９１】
ステップＳ４０８において、安否情報サーバ６１６１の安否情報リスト管理部６２が、受信した安否情報を安否情報リストに登録する。
【００９２】
ステップＳ４１９において、緊急情報を受信してから所定時間βが経過すると、処理が終了し、所定時間βが経過していない場合には、処理がステップＳ４０９に戻る。
【００９３】
以上のように、本実施の形態によれば、ユーザが移動可能か否かの情報を含む安否除法が安否情報サーバに送信されるので、ユーザが移動できない危険な状況にいるかどうかを知らせることができる。
【００９４】
［第５の実施形態］
図１３は、第５の実施形態の携帯電話１の構成を表わす図である。
【００９５】
図１２の携帯電話１が、図２の携帯電話５１と相違する点は、安否確認要求作成部２２と、安否確認要求部２１とを備える点である。
【００９６】
安否確認要求作成部２２は、他の携帯電話の電話番号を含む安否確認要求を作成する。
安否確認要求部２１は、アクセス制限が解除された後、安否確認要求を安否情報サーバ６１に送信する。安否確認要求部２１は、安否情報サーバ６１から送信される、安否確認要求で送信した電話番号の安否情報を受信するか、または安否情報サーバ６１に安否確認要求で送信した電話番号の安否情報が登録されていない旨のメッセージを受信する。
【００９７】
図１４は、第５の実施形態の安否確認システムの動作手順を表わす図である。
図１４を参照して、ステップＳ５０１において、携帯電話１の警報取得部６が、無線通信部２を通じて災害情報管理センタ７１から緊急警報を受信すると、処理がステップＳ５０２に進む。
【００９８】
ステップＳ５０２において、携帯電話１のアクセス制御部５が、緊急情報を受信してから所定時間α内に災害情報管理センタ７１から無線通信部２を通じてアクセス制限情報を受信することによりアクセス規制がかかると、処理がステップＳ５０３に進む。
【００９９】
ステップＳ５０３において、携帯電話１の安否情報作成部８は、メモリ９から携帯電話１の電話番号を読出す。安否情報作成部８は、位置検出部１１から携帯電話１の現在位置を取得する。安否情報作成部８は、内蔵時計１０から現在時刻を取得する。安否情報作成部８は、携帯電話１の電話番号、現在時刻、および現在位置からなる安否情報を作成する。
【０１００】
ステップＳ５０４において、携帯電話１の安否確認要求作成部２２は、図１５に示すような安否確認入力ポップアップウインドウを表示部１３に表示する。ユーザ入力部１２を通じて、ユーザは、安否を知りたい相手の携帯電話の電話番号を入力する。
【０１０１】
ステップＳ５０５において、安否確認要求作成部２２は、入力された相手の携帯電話の電話番号を含む安否確認要求を作成する。
【０１０２】
ステップＳ５０６において、携帯電話１のアクセス制御部５が、無線通信部２を通じて、災害情報管理センタ７１からアクセス制限解除情報を受信することによりアクセス規制が解除されると、処理がステップＳ５０７に進む。
【０１０３】
ステップＳ５０７において、携帯電話１の無線通信部２が、安否情報サーバ６１との通信接続を実行する。
【０１０４】
ステップＳ５０８において、携帯電話１の安否通知部７が、無線通信部２を通じて、安否情報を安否情報サーバ６１に送信する。
【０１０５】
ステップＳ５０９において、安否情報サーバ６１の安否情報リスト管理部６２が、通信部６３を通じて、安否情報を受信すると、処理がステップＳ５１０に進む。
【０１０６】
ステップＳ５１０において、安否情報サーバ６１の安否情報リスト管理部６２が、受信した安否情報を安否情報リストに登録する。
【０１０７】
ステップＳ５１１において、携帯電話１の安否確認要求部２１が、無線通信部２を通じて、安否確認要求を安否情報サーバ６１に送信する。
【０１０８】
ステップＳ５１２において、安否情報サーバ６１の安否情報リスト管理部６２が、通信部６３を通じて、安否確認要求を受信すると、処理がステップＳ５１３に進む。
【０１０９】
ステップＳ５１３において、安否情報リスト管理部６２が、受信した安否確認要求に含まれる相手の携帯電話の電話番号が含まれる安否情報を安否情報リストから検索する。安否情報リストに登録されている場合には、処理がステップＳ５１４に進み、安否情報リストに登録されていない場合には、処理がステップＳ５１５に進む。
【０１１０】
ステップＳ５１４において、安否情報リスト管理部６２は、通信部６３を通じて、検索した安否情報を携帯電話１へ送信する。
【０１１１】
ステップＳ５１５において、安否情報リスト管理部６２は、通信部６３を通じて、相手の安否情報が安否情報リストに登録されていない旨のメッセージを携帯電話１へ送信する。
【０１１２】
ステップＳ５１６において、携帯電話１の安否確認要求部２１が、無線通信部２を通じて、安否情報を受信した場合には、処理がステップＳ５１７に進む。安否確認要求部２１が、無線通信部２を通じて、安否情報が安否情報リストに登録されていない旨のメッセージを受信した場合には、処理がステップＳ５１８に進む。
【０１１３】
ステップＳ５１７において、安否確認要求部２１が、図１６に示すような、安否情報を記載した安否通知ポップアップウインドウを表示する。
【０１１４】
ステップＳ５１８において、安否確認要求部２１が、図１７に示すような、安否情報が登録されていない旨のメッセージを記載した安否通知ポップアップウインドウを表示する。
【０１１５】
以上のように、本実施の形態によれば、安否確認要求を安否情報サーバに送信することによって、他の携帯電話の安否情報を取得することができる。
【０１１６】
［第６の実施形態］
図１８は、第６の実施形態の安否確認システムの動作手順を表わす図である。
【０１１７】
ステップＳ６００において、アクセス制限されていない携帯電話（第１の携帯電話）がアクセス制限されている携帯電話（第２の携帯電話）に対して発呼要求を行なう。
【０１１８】
ステップＳ６０１において、災害情報管理センタ７１は、アクセス制限している携帯電話（第２の携帯電話）の電話番号を相手先電話番号として指定した発呼要求があった場合に、処理がステップＳ６０２に進む。
【０１１９】
ステップＳ６０２において、災害情報管理センタ７１は、アクセス制限されていない携帯電話（第１の携帯電話）へ、第２の携帯電話がアクセス制限されていること、および安否情報サーバ６１への転送を通知する。
【０１２０】
ステップＳ６０３において、第１の携帯電話が、第２の携帯電話がアクセス制限されていることおよび安否情報サーバ６１への転送の通知を受信する。
【０１２１】
ステップＳ６０４において、災害情報管理センタ７１は、安否情報サーバ６１へ、第１の携帯電話からアクセス制限されている携帯電話（第２の携帯電話）への発呼要求があった旨と、相手先電話番号（第２の携帯電話の電話番号）を通知する。
【０１２２】
ステップＳ６０５において、安否情報サーバ６１は、第１の携帯電話からアクセス制限されている携帯電話（第２の携帯電話）への発呼要求があった旨と、相手先電話番号（第２の携帯電話の電話番号）の通知を受信する。
【０１２３】
ステップＳ６０６において、安否情報サーバ６１の安否情報リスト管理部６２が、安否情報リストに相手先電話番号が含まれる安否情報が登録されているかどうかを検索する。安否情報リストに登録されている場合には、処理がステップＳ６０７に進む。安否情報リストに登録されていない場合には、処理がステップＳ６０８に進む。
【０１２４】
ステップＳ６０７において、安否情報リスト管理部６２は、安否情報リストに登録されている相手先電話番号の安否情報を表わす音声メッセージを、通信部６３を通じて、発信元の携帯電話に通知する。
【０１２５】
ステップＳ６０８において、安否情報リスト管理部６２は、安否情報リストに相手先電話番号の安否情報が登録されていない旨の音声メッセージを、通信部６３を通じて発信元の携帯電話（第１の携帯電話）に送信する。
【０１２６】
ステップＳ６０９において、第１の携帯電話の通話制御部が、無線通信部２を通じて、音声メッセージを受信した場合には、処理がステップＳ６１０に進む。
【０１２７】
ステップＳ６１０において、通話制御部は、受信した音声メッセージをスピーカ１４に出力する。
【０１２８】
以上のように、本実施の形態によれば、アクセス制限されていない携帯電話が、アクセス制限がなされた携帯電話のユーザの安否情報を音声で取得することができる。
【０１２９】
［第７の実施形態］
図１９は、第７の実施形態の安否確認システムの動作手順を表わす図である。
【０１３０】
図１９を参照して、ステップＳ７００において、アクセス制限されていない携帯電話（第１の携帯電話）がアクセス制限されている携帯電話（第２の携帯電話）に対して発呼要求を行なう。
【０１３１】
ステップＳ７０１において、災害情報管理センタ７１は、アクセス制限している携帯電話（第２の携帯電話）の電話番号を相手先電話番号として指定した発呼要求があった場合に、処理がステップＳ７０２に進む。
【０１３２】
ステップＳ７０２において、災害情報管理センタ７１は、アクセス制限されていない携帯電話（第１の携帯電話）へ、第２の携帯電話がアクセス制限されていること、および安否情報サーバ６１への転送を通知する。
【０１３３】
ステップＳ７０３において、第１の携帯電話が、第２の携帯電話がアクセス制限されていることおよび安否情報サーバ６１への転送の通知を受信する。
【０１３４】
ステップＳ７０４において、災害情報管理センタ７１は、安否情報サーバ６１へ、第１の携帯電話からアクセス制限されている携帯電話（第２の携帯電話）への発呼要求があった旨と、相手先電話番号（第２の携帯電話の電話番号）を通知する。
【０１３５】
ステップＳ７０５において、安否情報サーバ６１は、第１の携帯電話からアクセス制限されている携帯電話（第２の携帯電話）への発呼要求があった旨と、相手先電話番号（第２の携帯電話の電話番号）の通知を受信する。
【０１３６】
ステップＳ７０６において、安否情報サーバ６１の安否情報リスト管理部６２が、安否情報リストに相手先電話番号が含まれる安否情報が登録されているかどうかを検索する。安否情報リストに登録されている場合には、処理がステップＳ７０７に進む。安否情報リストに登録されていない場合には、処理がステップＳ７０８に進む。
【０１３７】
ステップＳ７０７において、安否情報リスト管理部６２は、安否情報リストに登録されている相手先電話番号の安否情報を記述したＷｅｂページのＵＲＬ（Uniform Resource Locator）を通信部６３を通じて、発信元の携帯電話（第１の携帯電話）に通知する。
【０１３８】
ステップＳ７０８において、安否情報リスト管理部６２は、安否情報リストに相手先電話番号の安否情報が登録されていない旨の音声メッセージを記述したＷｅｂページのＵＲＬを通信部６３を通じて発信元の携帯電話（第１の携帯電話）に送信する。
【０１３９】
ステップＳ７０９において、第１の携帯電話のインターネット制御部４が、無線通信部２を通じて、ＷｅページのＵＲＬを受信した場合には、処理がステップＳ７１０に進む。
【０１４０】
ステップＳ７１０において、インターネット制御部４は、受信したＵＲＬにアクセスして、Ｗｅｂページを表示する。
【０１４１】
以上のように、本実施の形態によれば、アクセス制限されていない携帯電話が、アクセス制限がなされた携帯電話のユーザの安否情報をインターネット網の情報として取得することができる。
【０１４２】
（変形例）
本発明の実施形態では、携帯電話が、災害情報管理センタから無線制御装置を通じてアクセス制限情報を受信することにより、アクセス制限が行われ、携帯電話が、災害情報管理センタからアクセス制限解除情報を受信することにより、アクセス制限が解除されたが、これに限定するものではない。
【０１４３】
アクセス制限については、携帯電話が、災害情報管理センタからアクセス制限の度合いを表わす情報を受信し、この情報に基づいて、携帯電話が、アクセス制限を行うか否かを決定するものとしてもよい。たとえば、携帯電話が、災害情報管理センタから、１／ｘのアクセス制限の度合いを表わす情報を受信し、携帯電話が、１以上ｘ以下の自然数をランダムに生成し、生成した数がｘの場合に、アクセス制限を実行するものとしてもよい。
【０１４４】
アクセス制限の解除については、アクセス制限中の携帯電話が、別のセルにハンドオーバした際に、自動的にアクセス制限が解除されるものとしてもよい。
【０１４５】
あるいは、アクセス制限中の携帯電話が、別のセルにハンドオーバした際に、災害情報管理センタが、無線制御装置からハンドオーバした先のセルを表わす情報を受信し、ハンドオーバした先のセルが被災地域のセルでない場合に、その携帯電話にアクセス制限解除情報を送信するものとしてもよい。別のセルにハンドオーバした携帯電話は、アクセス制限解除情報を受信しない場合にアクセス制限を続行し、アクセス制限解除情報を受信した場合にアクセス制限を解除するものとしてもよい。
【０１４６】
あるいは、アクセス制限中の携帯電話が、別のセルにハンドオーバした際に、災害情報管理センタが、無線制御装置からハンドオーバした先のセルを表わす情報を受信し、ハンドオーバした先のセルが被災地域のセルの場合に、その携帯電話にアクセス制限情報を送信するものとしてもよい。別のセルにハンドオーバした携帯電話は、アクセス制限情報を受信した場合にアクセス制限を続行し、アクセス制限情報を受信しない場合にアクセス制限を解除するものとしてもよい。
【０１４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４８】
１，１−ａ，１−ｂ  携帯電話、２  無線通信部、３  通話制御部、４  インターネット制御部、５  アクセス制御部、６  警報取得部、７  安否通知部、８  安否情報作成部、９  メモリ、１０  内蔵時計、１１  位置検出部、１２  ユーザ入力部、１３  表示部、１４  スピーカ、１５  マイク、２１  安否確認要求部、２２  安否確認要求作成部、６１  安否情報サーバ、６２  安否情報リスト管理部、６４  安否情報リスト記憶部、７１  災害情報管理センタ、７３  無線制御装置、８１  安否確認システム、Ａ〜Ｄ  無線基地局。
【図１】
2016048524.tif 000003
【図２】
2016048524.tif 000004
【図３】
2016048524.tif 000005
【図４】
2016048524.tif 000006
【図５】
2016048524.tif 000007
【図６】
2016048524.tif 000008
【図７】
2016048524.tif 000009
【図８】
2016048524.tif 000010
【図９】
2016048524.tif 000011
【図１０】
2016048524.tif 000012
【図１１】
2016048524.tif 000013
【図１２】
2016048524.tif 000014
【図１３】
2016048524.tif 000015
【図１４】
2016048524.tif 000016
【図１５】
2016048524.tif 000017
【図１６】
2016048524.tif 000018
【図１７】
2016048524.tif 000019
【図１８】
2016048524.tif 000020
【図１９】
2016048524.tif 000021